(57)【要約】【課題】データを記録再生する際の記録媒体に対する対物レンズの位置を最適にするディスク記録再生装置を提供する。【解決手段】光ディスク装置１は、工場からの出荷前に、光ディスク１ａに対する記録用基準位置及び再生用基準位置を特定してＥＥＰＲＯＭ２２に記憶させておく。制御部１０は、実際にデータの記録再生処理を行なう光ディスク１ａが載置トレイ上に載置された場合、対物レンズ１６を光ディスク１ａに対して段階的に異なるフォーカス位置に移動させつつ、光ディスク１ａ上のＰＣＡ領域に対して再生処理を行ない、得られたＲＦ信号の振幅が最大となったフォーカス位置を、載置トレイ上に載置された光ディスク１ａに対する再生用位置とする。制御部１０は、特定した再生用位置に、ＥＥＰＲＯＭ２２に記憶してある記録用基準位置及び再生用基準位置の差分を加算し、載置トレイ上に載置された光ディスク１ａに対する記録用位置とする。【選択図】図１
2008059698.tif 000002
【特許請求の範囲】
【請求項１】
ディスク形状の記録媒体の装着が可能な装着部と、該装着部に装着された記録媒体に対向配置される対物レンズと、該対物レンズを介して光ビームを前記記録媒体上に照射させてデータを記録する記録手段と、前記記録媒体に記録されているデータを再生して再生信号を出力する再生手段と、該再生手段が出力した再生信号の状態に基づいて、前記記録媒体からデータを再生する際の前記記録媒体に対する前記対物レンズの再生用位置を特定する再生用位置特定手段とを備えるディスク記録再生装置において、
前記記録手段によって前記記録媒体に記録されたデータを前記再生手段が再生して出力した再生信号の状態に基づいて、前記記録媒体にデータを記録する際の前記記録媒体に対する前記対物レンズの記録用位置を特定する記録用位置特定手段と、
前記再生用位置特定手段が特定した再生用位置及び前記記録用位置特定手段が特定した記録用位置を記憶する記憶手段と
を備えることを特徴とするディスク記録再生装置。
【請求項２】
前記装着部に装着された記録媒体に記録されているデータを前記再生手段が再生して出力した再生信号の状態に基づいて前記再生用位置特定手段が特定した再生用位置と、前記記憶手段に記憶してある再生用位置及び記録用位置とに基づいて、前記装着部に装着された記録媒体に対する記録用位置を算出する算出手段を備えることを特徴とする請求項１に記載のディスク記録再生装置。
【請求項３】
前記算出手段は、前記再生用位置特定手段が特定した再生用位置に、前記記憶手段に記憶してある記録用位置及び再生用位置の差分を加算して前記記録用位置を算出するように構成してあることを特徴とする請求項２に記載のディスク記録再生装置。
【発明の詳細な説明】
【技術分野】
【０００１】
本発明は、ディスク形状の記録媒体上に光ビームを照射させてデータを記録し、記録媒体に記録されたデータを再生するディスク記録再生装置に関するものである。
【背景技術】
【０００２】
ＤＶＤ−Ｒ、ＤＶＤ−ＲＷ、ＤＶＤ＋ＲＷ、ＤＶＤ−ＲＯＭ、ＣＤ−Ｒ及びＣＤ−ＲＷ等の光ディスク上にレーザ光を用いてデータを書き込む光ディスク装置は、所定の載置トレイ上に載置された光ディスクに対物レンズを対向配置している。光ディスク装置は、対物レンズを介して収束させたレーザ光を光ディスクに照射させてデータの記録再生処理を行なうため、光ディスクの記録面に対して最適な距離を隔てた最適なフォーカス位置に対物レンズを配置させる必要がある。
【０００３】
そこで、光ディスクに対する対物レンズのフォーカス位置を種々に変化させつつ光ディスクからのデータの再生処理を行ない、その際の再生性能を測定し、再生時における最適なフォーカス位置を特定する光ディスク装置が提供されている。このように特定された最適なフォーカス位置に配置された対物レンズを用いて光ディスクからのデータの再生処理を行なうことにより、光ディスクと光ディスク装置との特性の相違、周辺温度等を考慮した最適な条件での再生処理が可能になり、光ディスクから精度よくデータを読み出すことができる。
【０００４】
ここで、光ディスク装置が光ディスクに対してデータの記録再生処理を行なうために照射するレーザ光は、周辺温度に依存し、周辺温度が変化すると、照射されるレーザ光の波長が変動する場合がある。この場合、周辺温度の変化に応じて変動するレーザ光の照射量に対応して、光ディスクに対する対物レンズのフォーカス位置を適切に変化させる必要がある。特許文献１では、周辺温度の変化量に基づき、レーザ光の照射量を補正する装置が開示されている。これにより、周辺温度の変化に応じた最適な照射量のレーザ光を照射させることができ、光ディスクに対して精度よくデータの記録再生処理を行なうことができる。
【特許文献１】特開２００５−２７６４１１号公報
【発明の開示】
【発明が解決しようとする課題】
【０００５】
一方、光ディスク装置には、光ディスクからデータを再生する場合と光ディスクにデータを記録する場合とにおいて、光ディスクに対する対物レンズの最適なフォーカス位置が異なる装置がある。このような光ディスク装置では、例えば、光ディスクからデータを再生する際に最適なフォーカス位置の対物レンズを用いて光ディスクへのデータの記録処理を行なった場合、光ディスクに書き込まれたデータの信頼性が低下してしまう虞がある。また、特許文献１に開示された装置は、周辺温度の変化に応じた適切な照射量のレーザ光によって精度よくのデータを書き込むことはできるが、光ディスクに対する対物レンズの最適なフォーカス位置の特定は行なっていない。
【０００６】
また、光ディスク装置は、光ディスク上にデータを書き込む際、最適な記録用パワーを決定するためにＯＰＣ（Optimum Power Control）処理を行なうように構成されている。ＯＰＣ処理とは、光ディスク上に予め設けられたテスト領域（ＰＣＡ：Power Calibration Area  領域）に対して、記録用パワーを段階的に変化させつつテストパターンの書き込みを行ない、書き込まれたテストパターンを読み出して再生することにより得られたＲＦ（Radio Frequency）信号に基づいて最適な記録用パワーを決定する処理のことである。このようなＯＰＣ処理によって決定された最適な記録用パワーで光ディスクへの書き込みを行なうことにより、各別の光ディスクにおける記録感度のばらつき、光ディスクと光ディスク装置との特性の相違、周辺温度等を考慮した最適な条件での書き込み処理が可能になり、光ディスク上に書き込まれたデータの信頼性を確保することができる。
【０００７】
しかし、光ディスクからデータを再生する際に最適なフォーカス位置、即ち、光ディスクにデータを記録する際には最適でないフォーカス位置の対物レンズを用いてＯＰＣ処理を行なった場合、ＯＰＣ処理によって特定された最適な記録用パワーが、真に最適な記録用パワーとならない場合があり、ＯＰＣ処理における信頼性が低下する。更に、このようなＯＰＣ処理によって特定された最適でない虞のある記録用パワーのレーザ光によって光ディスクへのデータの記録処理を行なった場合、光ディスクに書き込まれたデータの信頼性がより低下してしまう虞があるという問題を有している。
【０００８】
本発明は斯かる事情に鑑みてなされたものであり、その目的とするところは、記録媒体からデータを再生する際の記録媒体に対する対物レンズのフォーカス位置（再生用位置）と、記録媒体にデータを記録する際の記録媒体に対する対物レンズのフォーカス位置（記録用位置）とを予め記憶させておくことにより、異なる記録媒体に対してデータの記録再生処理を行なう際の最適な記録用位置又は再生用位置を効率よく特定することが可能なディスク記録再生装置を提供することにある。
【０００９】
本発明の他の目的は、異なる記録媒体に対する記録用位置を演算処理によって容易に特定することができると共に、特定された記録用位置の対物レンズを用いて記録媒体へのデータの記録処理を行なうことにより、記録媒体に書き込まれたデータの信頼性を更に向上させることが可能なディスク記録再生装置を提供することにある。
【００１０】
更に、本発明の他の目的は、装着された記録媒体に対する記録用位置を、単純な加算処理及び減算処理によって容易に算出することができ、記録媒体に対する記録用位置を特定するための処理時間を短縮することが可能なディスク記録再生装置を提供することにある。
【課題を解決するための手段】
【００１１】
本発明に係るディスク記録再生装置は、ディスク形状の記録媒体の装着が可能な装着部と、該装着部に装着された記録媒体に対向配置される対物レンズと、該対物レンズを介して光ビームを前記記録媒体上に照射させてデータを記録する記録手段と、前記記録媒体に記録されているデータを再生して再生信号を出力する再生手段と、該再生手段が出力した再生信号の状態に基づいて、前記記録媒体からデータを再生する際の前記記録媒体に対する前記対物レンズの再生用位置を特定する再生用位置特定手段とを備えるディスク記録再生装置において、前記記録手段によって前記記録媒体に記録されたデータを前記再生手段が再生して出力した再生信号の状態に基づいて、前記記録媒体にデータを記録する際の前記記録媒体に対する前記対物レンズの記録用位置を特定する記録用位置特定手段と、前記再生用位置特定手段が特定した再生用位置及び前記記録用位置特定手段が特定した記録用位置を記憶する記憶手段とを備えることを特徴とする。
【００１２】
本発明によれば、ディスク記録再生装置は、記録媒体に記録されているデータを再生して得られた再生信号の状態に基づいて、記録媒体からデータを再生する際の記録媒体に対する対物レンズの再生用位置を特定する。また、ディスク記録再生装置は、自身の記録手段によって記録媒体に記録したデータを再生して得られた再生信号の状態に基づいて、記録媒体にデータを記録する際の記録媒体に対する対物レンズの記録用位置を特定する。ディスク記録再生装置は、このように特定した再生用位置及び記録用位置を記憶手段に記憶させておく。
【００１３】
本発明に係るディスク記録再生装置は、前記装着部に装着された記録媒体に記録されているデータを前記再生手段が再生して出力した再生信号の状態に基づいて前記再生用位置特定手段が特定した再生用位置と、前記記憶手段に記憶してある再生用位置及び記録用位置とに基づいて、前記装着部に装着された記録媒体に対する記録用位置を算出する算出手段を備えることを特徴とする。
【００１４】
本発明によれば、記録媒体に対する再生用位置と、記録媒体に対する記録用位置とを記憶手段に記憶してあるディスク記録再生装置が、装着部に装着された記録媒体に記録されているデータを再生して得られた再生信号の状態に基づいて、装着された記録媒体に対する再生用位置を特定する。また、ディスク記録再生装置は、再生信号に基づいて特定した再生用位置と、記憶手段に予め記憶してある再生用位置及び記録用位置とに基づいて、装着された記録媒体に対する記録用位置を算出する。よって、実際にデータの記録再生処理が行なわれる記録媒体に対する記録用位置を、記憶手段に記憶してある再生用位置及び記録用位置に基づいて容易に算出することが可能となる。
【００１５】
本発明に係るディスク記録再生装置は、前記算出手段は、前記再生用位置特定手段が特定した再生用位置に、前記記憶手段に記憶してある記録用位置及び再生用位置の差分を加算して前記記録用位置を算出するように構成してあることを特徴とする。
【００１６】
本発明によれば、ディスク記録再生装置は、装着部に装着された記録媒体から再生して得られた再生信号の状態に基づいて特定した再生用位置に、記憶手段に予め記憶してある記録用位置及び再生用位置の差分を加算し、装着された記録媒体に対する記録用位置を算出する。よって、実際にデータの記録再生処理が行なわれる記録媒体に対する記録用位置を、単純な演算処理によって容易に算出することが可能となる。
【発明の効果】
【００１７】
本発明では、ディスク記録再生装置が、記録媒体からデータを再生する際の記録媒体に対する対物レンズの再生用位置を特定し、記録媒体にデータを記録する際の記録媒体に対する対物レンズの記録用位置を特定し、このように特定した再生用位置及び記録用位置を記憶手段に記憶させておく。よって、記憶手段に記憶させてある再生用位置及び記録用位置を用いることにより、異なる記録媒体に対してデータの記録再生処理を行なう際の最適な記録用位置及び再生用位置を効率よく特定することができる。また、特定された最適な記録用位置及び再生用位置に基づいて、記録媒体に対して精度よく記録再生処理を行なうことができる。
【００１８】
本発明では、記録媒体に対する再生用位置及び記録用位置が予め記憶手段に記憶してあるディスク記録再生装置は、異なる記録媒体が装着された場合、この記録媒体に対する再生用位置のみを特定する。また、ディスク記録再生装置は、特定した再生用位置と、記憶手段に記憶してある再生用位置及び記録用位置とに基づいて、装着された記録媒体に対する記録用位置を算出する。よって、実際にデータの記録再生処理が行なわれる記録媒体に対する記録用位置を、再生信号に基づく各種の処理を行なうことなく、記憶手段に記憶してある再生用位置及び記録用位置に基づいて容易に算出することができる。従って、再生信号に基づく各種の処理にかかる処理時間を短縮することができると共に、記録用位置を特定するための各種の処理の際に記録媒体に記録する必要があったデータの記録領域、例えば、記録媒体に予め設けられたＰＣＡ領域を節約することもできる。
【００１９】
また、実際にデータの記録再生処理が行なわれる記録媒体に対する記録用位置及び再生用位置を特定することにより、最適な再生用位置の対物レンズを用いて記録媒体からデータの再生処理を行なった場合、精度よくデータを読み出すことができる。更に、最適な記録用位置の対物レンズを用いて記録媒体へのデータの記録処理を行なった場合、記録媒体に書き込まれたデータの信頼性を向上させることができる。また、上述のように効率よく特定された記録用位置の対物レンズを用いてＯＰＣ処理を行なった場合、ＯＰＣ処理における信頼性を向上させることができ、より最適な記録用パワーを特定することができる。更に、このようなＯＰＣ処理によって特定された記録用パワー、上述のように特定された記録用位置の対物レンズを用いて記録媒体へのデータの記録処理を行なった場合には、記録媒体に書き込まれたデータの信頼性を更に向上させることができる。
【００２０】
本発明では、ディスク記録再生装置が、記録媒体が装着された場合、この記録媒体に対して特定した再生用位置に、記憶手段に予め記憶してある記録用位置及び再生用位置の差分を加算し、実際にデータの記録再生処理の行なうために装着された記録媒体に対する記録用位置を算出する。よって、装着された記録媒体に対する記録用位置を、単純な加算処理及び減算処理によって容易に算出することができ、記録用位置を特定するために行なう必要があった再生信号に基づく各種の処理にかかる処理時間を短縮することができると共に、この各種の処理の際に記録媒体に記録する必要があったデータの記録領域を節約することもできる。
【発明を実施するための最良の形態】
【００２１】
以下に、本発明に係るディスク記録再生装置を、その実施の形態である光ディスク装置を示す図面に基づいて詳述する。図１は本発明に係るディスク記録再生装置としての光ディスク装置の要部構成例を示すブロック図であり、図中１は本発明のディスク記録再生装置としての光ディスク装置を示している。
【００２２】
なお、本実施形態では、レーザ出力部１５からのレーザ光（光ビーム）のみにより光ディスク１ａにデータの記録再生処理を行なう光ディスク装置１を例として説明する。但し、本発明は、レーザ光を用いてディスク形状の記録媒体にデータを記録再生するものであればよい。例えば、レーザ出力部１５からのレーザ光と磁気ヘッドからの磁界とにより光磁気ディスクにデータを記録再生する光磁気ディスク記録再生装置にも本発明を適用することができる。従って、記録媒体としては、ＣＤ−Ｒ、ＣＤ−ＲＷ、ＤＶＤ−Ｒ、ＤＶＤ−ＲＷ、ＤＶＤ−ＲＡＭ、ＤＶＤ＋ＲＷ等の光ディスク、ＭＯ等の光磁気ディスクを用いることができる。
【００２３】
本実施形態の光ディスク装置１は、ＲＯＭ及びＲＡＭが内蔵されたＣＰＵ（Central Processing Unit ）又はＭＰＵ（Micro Processor Unit）等で構成された制御部１０を備えている。制御部１０は、光ディスク装置１に設けられた後述するようなハードウェア各部の動作を制御すると共に、自身に内蔵されたＲＯＭに予め格納されている制御プログラムを適宜ＲＡＭに読み出して実行する。ＲＯＭには、光ディスク装置１を本発明に係るディスク記録再生装置として動作させるために必要な種々の制御プログラムが予め格納されている。ＲＡＭはＳＲＡＭ又はＳＤＲＡＭ等で構成されており、制御部１０による制御プログラムの実行時に発生するデータを一時的に記憶する。
【００２４】
光ディスク装置１は、図示しないが、光ディスク１ａの装着が可能な載置トレイ（装着部）を備えている。また、光ディスク装置１は、載置トレイ上に載置（装着）された光ディスク１ａを回転させるスピンドルモータ１２、スピンドルモータ１２を駆動させるモータ駆動部１１を備えている。モータ駆動部１１が、制御部１０からの指示に従って、スピンドルモータ１２を駆動させることにより、光ディスク１ａを定角速度（ＣＡＶ：Constant Angular Velocity）又は定線速度（ＣＬＶ：Constant Linear Velocity）で回転させる。
【００２５】
更に、光ディスク装置１は、スピンドルモータ１２によって回転している光ディスク１ａの表面に対向配置される対物レンズ１６、対物レンズ１６を光ディスク１ａの表面に対して接離する方向に移動させるアクチュエータ１３、対物レンズ１６を介して光ディスク１ａの表面にレーザ光を照射するレーザ出力部１５、レーザ出力部１５が出力するレーザ光のレーザパワーを制御するレーザパワー制御部１４を備えている。
【００２６】
レーザパワー制御部１４は、制御部１０からの指示に従って、光ディスク１ａ上にデータを記録する際には記録用パワーのレーザ光を、光ディスク１ａ上のデータを再生する際には再生用パワーのレーザ光を、レーザ出力部１５にそれぞれ照射させる。アクチュエータ１３は、モータ駆動部１１による制御に従って、光ディスク１ａ上にデータを記録する際には記録用のフォーカス位置（以下、記録用位置と呼ぶ）に、光ディスク１ａ上のデータを再生する際には再生用のフォーカス位置（以下、再生用位置と呼ぶ）に、対物レンズ１６をそれぞれ移動させる。
【００２７】
このような構成により、アクチュエータ１３が、光ディスク１ａの表面に対して適切なフォーカス位置に対物レンズ１６を移動させつつ、レーザパワー制御部１４がレーザ出力部１５によって適切なレーザパワーのレーザ光を照射させることにより、光ディスク装置１は、スピンドルモータ１２によって回転している光ディスク１ａ上の適切な記録領域に対して、データの記録処理又は再生処理を行なうことができる。
【００２８】
光ディスク装置１が光ディスク１ａに対して記録処理を行なう場合、制御部１０は、最適な記録条件として予め設定された記録パルス幅、記録用パワー等に基づいて、光ディスク１ａに記録すべきデータに応じた記録パルスを生成してレーザパワー制御部１４へ出力する。レーザパワー制御部１４は、制御部１０から出力された記録パルスに従って、レーザ出力部（記録手段）１５にレーザ光を照射させ、光ディスク１ａ上の適切な記録領域に、対物レンズ１６によってレーザ光を収束させ、データの記録処理を行なう。
【００２９】
光ディスク装置１は、再生部１７、ＲＦ信号生成部１８、ＯＰＣ処理部１９、レーザパワー特定部２０、フォーカス位置特定部２１、ＥＥＰＲＯＭ２２等を更に備えている。光ディスク装置１が光ディスク１ａに対して再生処理を行なう場合、レーザパワー制御部１４が、制御部１０からの指示に従って、再生用パワーのレーザ光をレーザ出力部１５に照射させ、光ディスク１ａ上の適切な記録領域に、対物レンズ１６によってレーザ光を収束させる。また、再生部（再生手段）１７が、光ディスク１ａ上に照射されたレーザ光の光ディスク１ａからの反射光を電気信号に変換してＲＦ信号生成部１８へ出力する。
【００３０】
ＲＦ信号生成部１８は、再生部１７から出力された電気信号に対して信号増幅処理を行ない、増幅した電気信号に所定の閾値電圧に基づいて２値化処理する。また、ＲＦ信号生成部１８は、２値化処理によって得られた２値化信号に対してＰＬＬ（Phase Locked Loop）回路によるクロック検出処理を行ない、検出したクロック信号に基づいて２値化信号を復号処理することにより、再生信号であるＲＦ信号を最適化する。このようにして得られたＲＦ信号はＯＰＣ処理部１９又はフォーカス位置特定部２１へ出力される。なお、ＲＦ信号生成部１８は、再生部１７及びＲＦ信号生成部１８によるデータの再生処理の際のノイズ、光ディスク１ａ上の傷又は汚れ等により発生したデータの誤り（エラー）を検出する処理を行なっており、誤り訂正が可能な場合にはデータの訂正処理も行なう。
【００３１】
ＯＰＣ処理部１９は、光ディスク装置１が光ディスク１ａに対して記録処理を行なう際に、レーザ出力部１５が最適な記録用パワーのレーザ光を照射するためのＯＰＣ処理における各種の処理を行なう。具体的には、光ディスク１ａ上に予め設定されたＰＣＡ領域に対して、レーザパワー制御部１４が、レーザ出力部１５によって出力されるレーザ光の記録用パワーを段階的に変化させつつ記録処理を行なった後、このＰＣＡ領域に記録されたデータの再生処理を行なった場合にＲＦ信号生成部１８が生成したＲＦ信号に基づいて、ＯＰＣ処理部１９が最適な記録用パワーを決定するＯＰＣ処理を行なう。
【００３２】
より具体的には、ＯＰＣ処理部１９は、光ディスク１ａ上のＰＣＡ領域に記録されたデータを再生して得られたＲＦ信号に対して、それぞれの記録用パワー毎に、所定期間内における最大値Ａ１及び最小値Ａ２を以下の式１に代入することによりβ値を算出する。また、例えば制御部１０に内蔵されたＲＯＭには、予め設定された最適なβ値が格納されている。そして、レーザパワー特定部２０が、ＯＰＣ処理部１９によってそれぞれの記録用パワー毎に算出された各β値と、ＲＯＭに格納されている最適なβ値とを比較することにより、最適な記録用パワー（レーザパワー）を特定する。レーザパワー特定部２０によって特定された最適な記録用パワーは、例えば制御部１０のＲＡＭに格納される。
【００３３】
β＝（Ａ１＋Ａ２）／（Ａ１−Ａ２）  …（式１）
【００３４】
なお、ＯＰＣ処理部１９は、再生部１７が光ディスク１ａ上のＰＣＡ領域の再生処理を行なった場合に、ＲＦ信号生成部１８による２値化処理によって得られた２値化信号と、ＰＬＬ回路によるクロック検出処理によって検出されたクロック信号との位相差に基づいてＲＦ信号のジッタ値を算出し、算出したジッタ値に基づいてレーザパワー特定部２０が最適な記録用パワーを決定してもよい。具体的には、ＯＰＣ処理部１９は、ＯＰＣ処理のために段階的に設定された記録用パワーのそれぞれに対応するジッタ値を算出し、レーザパワー特定部２０は、算出されたジッタ値が、例えば最小値となる記録用パワーを最適な記録用パワーに決定する。
【００３５】
レーザパワー特定部２０は、このようにＲＦ信号におけるβ値又はジッタ値に基づいて特定した最適な記録用パワーを制御部１０へ通知する。そして、制御部１０は、光ディスク１ａに記録すべきデータに応じた記録パルスを生成し、レーザパワー制御部１４が、制御部１０によって生成された記録パルスに従ってレーザ出力部１５にレーザ光を照射させ、光ディスク１ａへのデータの記録処理を行なう。このように最適な記録用パワーによって光ディスク１ａ上にデータを書き込むことにより、光ディスク１ａ上に書き込まれたデータの信頼性を確保することができる。
【００３６】
フォーカス位置特定部２１は、光ディスク装置１が光ディスク１ａに対してデータを記録再生する際の光ディスク１ａに対する対物レンズ１６の最適なフォーカス位置（記録用位置及び再生用位置）を特定するための各種の処理を行なう。具体的には、光ディスク１ａに対する対物レンズ１６の再生用位置を特定する場合、光ディスク１ａ上のＰＣＡ領域に対して、アクチュエータ１３が、モータ駆動部１１による制御に従って光ディスク１ａの表面に対して段階的に異なるフォーカス位置に対物レンズ１６を移動させつつ、レーザ出力部１５が一定の再生用パワーのレーザ光を出力する。また、このレーザ光の光ディスク１ａからの反射光に基づいて再生部１７及びＲＦ信号生成部１８が生成したＲＦ信号に基づいて、フォーカス位置特定部（特定手段）２１が最適な再生用位置を特定する。
【００３７】
より具体的には、フォーカス位置特定部２１は、光ディスク１ａ上のＰＣＡ領域に記録されたデータを再生して得られたＲＦ信号において、段階的に異なるフォーカス位置のそれぞれに対応するＲＦ信号の振幅を算出する。そして、フォーカス位置特定部２１は、異なるフォーカス位置のそれぞれに対応して算出したＲＦ信号の振幅が最大となるＲＦ信号を特定し、特定したＲＦ信号を再生した際の対物レンズ１６の光ディスク１ａに対するフォーカス位置を特定する。なお、ここで特定されたフォーカス位置は、光ディスク１ａに対するデータの再生処理時における再生用位置であり、フォーカス位置特定部２１は、特定したフォーカス位置をＥＥＰＲＯＭ（記憶手段）２２に記憶させる。
【００３８】
また、光ディスク１ａに対する対物レンズ１６の記録用位置を特定する場合、光ディスク１ａ上のＰＣＡ領域に対して、アクチュエータ１３が、モータ駆動部１１による制御に従って光ディスク１ａの表面に対して段階的に異なるフォーカス位置に対物レンズ１６を移動させつつ、レーザ出力部１５が一定の記録用パワーのレーザ光を出力して記録処理を行なう。その後、このＰＣＡ領域に記録されたデータを再生部１７が再生した場合にＲＦ信号生成部１８が生成したＲＦ信号に基づいて、フォーカス位置特定部（特定手段）２１が最適な記録用位置を特定する。
【００３９】
より具体的には、フォーカス位置特定部２１は、光ディスク１ａ上のＰＣＡ領域に記録されたデータを再生して得られたＲＦ信号において、段階的に異なるフォーカス位置のそれぞれに対応して、所定期間内における最大値Ａ１及び最小値Ａ２を上記の式１に代入することによりβ値を算出する。また、フォーカス位置特定部２１は、異なるフォーカス位置のそれぞれに対応して算出した各β値の内で最大となるβ値を検索する。
【００４０】
フォーカス位置特定部２１は、異なるフォーカス位置のそれぞれに対応して算出した各β値の内で最大となるβ値が検索できた場合、このβ値が算出されたＲＦ信号を特定し、特定したＲＦ信号を再生した光ディスク１ａ上の記録領域を特定し、特定した記録領域にデータを記録した際の対物レンズ１６の光ディスク１ａに対するフォーカス位置を特定する。なお、ここで特定されたフォーカス位置は、光ディスク１ａに対するデータの記録処理時における記録用位置であり、フォーカス位置特定部２１は、特定したフォーカス位置をＥＥＰＲＯＭ（記憶手段）２２に記憶させる。
【００４１】
なお、ＲＦ信号生成部１８は、再生部１７及びＲＦ信号生成部１８によって生成されたＲＦ信号に基づくエラーの検出処理を行ない、誤り訂正が可能な場合にはデータの訂正処理を行なっており、フォーカス位置特定部２１は、光ディスク１ａ上のＰＣＡ領域に記録されたデータに対してＲＦ信号生成部１８が検出したエラーのエラー訂正数が最少であった記録領域にデータを記録した際のフォーカス位置を光ディスク１ａに対する記録用位置としてもよい。また、フォーカス位置特定部２１は、光ディスク１ａ上のＰＣＡ領域に記録されたデータを再生して得られたＲＦ信号において、振幅のばらつき（標準偏差）が最小となったＲＦ信号を再生した光ディスク１ａ上の記録領域にデータを記録した際のフォーカス位置を光ディスク１ａに対する記録用位置としてもよい。
【００４２】
本実施形態では、上述したように、対物レンズ１６の記録用位置を特定するためのデータを光ディスク１ａ上のＰＣＡ領域に記録する構成について説明したが、光ディスク１ａ上のＰＣＡ領域が十分な空き領域を有しない場合には、光ディスク１ａ上のデータ領域を用いて対物レンズ１６の記録用位置を特定するための各種処理を行なうようにしてもよい。
【００４３】
ここで、本実施形態の光ディスク装置１は、上述したようなフォーカス位置特定部２１による記録用位置及び再生用位置の特定処理を、工場からの出荷前に行なっており、ユーザの手元に届くときには既に記録用位置及び再生用位置がＥＥＰＲＯＭ２２に格納されている。また、ユーザの手元に届いた光ディスク装置１は、ユーザによって所定の載置トレイ上に載置された光ディスク１ａに対して、実際にデータの記録再生処理を行なう際に、フォーカス位置特定部２１によって、載置トレイ上に載置された光ディスク１ａに対する再生用位置のみを特定し、ＥＥＰＲＯＭ２２に記憶させる。
【００４４】
なお、工場からの出荷前にＥＥＰＲＯＭ２２に格納された再生用位置及び記録用位置と、実際にデータの記録再生処理を行なう際に特定する光ディスク１ａに対する再生用位置及び記録用位置とを明確に区別するため、以降の説明では、工場からの出荷前にＥＥＰＲＯＭ２２に格納された再生用位置及び記録用位置をそれぞれ、再生用基準位置及び記録用基準位置と呼ぶ。
【００４５】
また、光ディスク装置１のフォーカス位置特定部２１は、減算器及び加算器を有しており、ＥＥＰＲＯＭ２２に記憶してある記録用基準位置Ｗ０及び再生用基準位置Ｐ０と、実際にデータの記録再生処理を行なう光ディスク１ａに対して特定した再生用位置Ｐ１とを以下の式２に代入することにより、実際にデータの記録再生処理を行なう光ディスク１ａに対する記録用位置Ｗ１を算出し、ＥＥＰＲＯＭ２２に記憶させる。
【００４６】
Ｗ１＝（Ｗ０−Ｐ０）＋Ｐ１  …（式２）
【００４７】
これは、光ディスク１ａに対する記録用位置と再生用位置との差分量が、異なる光ディスク１ａに対しても大きく異ならない可能性が高いからであり、工場からの出荷前に算出した記録用基準位置（Ｗ０）及び再生用基準位置（Ｐ０）の差分量（Ｗ０−Ｐ０）を、実際にデータの記録再生処理を行なう光ディスク１ａに対する再生用位置（Ｐ１）に加算することによって、実際にデータの記録再生処理を行なう光ディスク１ａに対する正確な記録用位置と同程度の記録用位置（Ｗ１）を算出することができる。
【００４８】
これにより、光ディスク１ａに対する記録用位置（Ｗ１）を特定するためにＲＦ信号に基づく各種処理を行なうことなく、単純な加算処理及び減算処理のみによって容易に算出することができる。また、ＲＦ信号に基づく各種処理を行なった場合と同程度に精度よく記録用位置を算出することができる。更に、ＲＦ信号に基づく各種処理を行なわないため、各種処理にかかる処理時間を短縮することができると共に、この各種処理の際に光ディスク１ａ上に記録する必要があったデータの記録領域、具体的には、ＰＣＡ領域を節約することもできる。
【００４９】
上述したようにフォーカス位置特定部２１によって、実際にデータの記録処理を行なう光ディスク１ａに対する最適な記録用位置が特定された場合、制御部１０は、ＥＥＰＲＯＭ２２に記憶された記録用位置に基づいて、モータ駆動部１１を適切に制御することにより、モータ駆動部１１からの制御に従って、アクチュエータ１３が、光ディスク１ａに対して最適な記録用位置に対物レンズ１６を移動させる。また、上述したように、ＯＰＣ処理部１９によるＯＰＣ処理の結果に基づいてレーザパワー特定部２０によって特定された最適な記録用パワー、及びフォーカス位置特定部２１によって特定された最適な記録用位置は、光ディスク１ａに対して最適な記録用パワー及びフォーカス位置であり、光ディスク１ａに対する以降の記録処理の際に用いられる。
【００５０】
本実施形態の光ディスク装置１は、実際に光ディスク１ａに対してデータの記録処理を行なう前にＯＰＣ処理部１９によるＯＰＣ処理を行なっており、更に、ＯＰＣ処理部１９によるＯＰＣ処理を行なう前に、フォーカス位置特定部２１による最適な記録用位置の特定処理を行なう構成である。従って、フォーカス位置特定部２１によって特定された最適な記録用位置に移動された対物レンズ１６を用いて光ディスク１ａ上に記録されたデータに基づいてＯＰＣ処理を実行するので、より最適な記録用パワーを特定することができ、ＯＰＣ処理における信頼性を向上させることができる。また、このように特定された最適な記録用位置の対物レンズ１６及び記録用パワーのレーザ光によって光ディスク１ａ上にデータを記録することにより、光ディスク１ａ上のデータの信頼性をより確保することができる。
【００５１】
以下に、上述した構成の光ディスク装置１において、光ディスク１ａに対する再生用位置を特定する再生用位置特定処理について説明する。図２は本実施形態に係る光ディスク装置１における再生用位置特定処理の手順を示すフローチャートである。なお、以下の処理は、制御部１０に内蔵されたＲＯＭに予め格納されている制御プログラムに従って制御部１０によって実行される。
【００５２】
光ディスク装置１において、制御部１０は、光ディスク１ａ上のＰＣＡ領域に対して、アクチュエータ１３によって、光ディスク１ａの表面に対して段階的に異なるフォーカス位置に対物レンズ１６を移動させつつ、レーザ出力部１５によって一定の記録用パワーでレーザ光を出力させて再生処理を実行し、再生部１７及びＲＦ信号生成部１８によって生成されるＲＦ信号を取得する（Ｓ１）。制御部１０は、フォーカス位置特定部２１によって、取得したＲＦ信号の振幅を算出し（Ｓ２）、全てのフォーカス位置での再生処理が終了したか否かを判断する（Ｓ３）。
【００５３】
制御部１０は、全てのフォーカス位置での再生処理が終了していないと判断した場合（Ｓ３：ＮＯ）、アクチュエータ１３によって異なるフォーカス位置に対物レンズ１６を移動させて再生処理を実行し（Ｓ４）、ステップＳ１に処理を戻し、再生部１７及びＲＦ信号生成部１８によって生成されるＲＦ信号を取得する（Ｓ１）。制御部１０は、全てのフォーカス位置での再生処理が終了したと判断した場合（Ｓ３：ＹＥＳ）、それぞれのフォーカス位置に対応して算出したＲＦ信号の振幅が最大となるＲＦ信号を特定し（Ｓ５）、特定したＲＦ信号を再生する際の対物レンズ１６の光ディスク１ａに対するフォーカス位置をフォーカス位置特定部２１によって特定する（Ｓ６）。なお、ここで特定されたフォーカス位置は、最適な再生用位置としてＥＥＰＲＯＭ２２に記憶される。
【００５４】
以下に、上述した構成の光ディスク装置１において、光ディスク１ａに対する記録用位置を特定する記録用位置特定処理について説明する。図３は本実施形態に係る光ディスク装置１における記録用位置特定処理の手順を示すフローチャートである。なお、以下の処理は、制御部１０に内蔵されたＲＯＭに予め格納されている制御プログラムに従って制御部１０によって実行される。
【００５５】
光ディスク装置１において、制御部１０は、光ディスク１ａ上のＰＣＡ領域に対して、アクチュエータ１３によって、光ディスク１ａの表面に対して段階的に異なるフォーカス位置に対物レンズ１６を移動させつつ、レーザ出力部１５によって一定の記録用パワーでレーザ光を出力させて記録処理を実行する。制御部１０は、全てのフォーカス位置での記録処理が終了したか否かを判断し（Ｓ１１）、終了していないと判断した場合（Ｓ１１：ＮＯ）、アクチュエータ１３によって適宜異なるフォーカス位置に対物レンズ１６を移動させて光ディスク１ａへの記録処理を行ない（Ｓ１２）、ステップＳ１１に処理を戻す。
【００５６】
制御部１０は、全てのフォーカス位置での記録処理が終了したと判断した場合（Ｓ１１：ＹＥＳ）、それぞれのフォーカス位置に対応してデータが記録された記録領域に対して再生部１７及びＲＦ信号生成部１８によって再生処理を行ない、それぞれのフォーカス位置に対応するＲＦ信号を取得する（Ｓ１３）。次に制御部１０は、フォーカス位置特定部２１によって、取得したＲＦ信号のβ値を算出し（Ｓ１４）、全てのフォーカス位置に対応する記録領域の再生処理が終了したか否かを判断する（Ｓ１５）。
【００５７】
制御部１０は、全ての記録領域の再生処理が終了していないと判断した場合（Ｓ１５：ＮＯ）、アクチュエータ１３によって異なるフォーカス位置に対物レンズ１６を移動させて再生処理を実行し（Ｓ１６）、ステップＳ１３に処理を戻し、再生部１７及びＲＦ信号生成部１８によって生成されるＲＦ信号を取得する（Ｓ１３）。制御部１０は、全ての記録領域の再生処理が終了したと判断した場合（Ｓ１５：ＹＥＳ）、それぞれの記録領域に対応して算出したβ値の内で、予めＲＯＭに格納されている最適なβ値と一致するβ値、又は最適なβ値に近い値のβ値が算出されたＲＦ信号をフォーカス位置特定部２１によって特定する（Ｓ１７）。
【００５８】
更に制御部１０は、フォーカス位置特定部２１によって、特定したＲＦ信号を再生した光ディスク１ａ上の記録領域を特定し（Ｓ１８）、特定した記録領域にデータを記録した際の対物レンズ１６の光ディスク１ａに対するフォーカス位置を特定する（Ｓ１９）。なお、ここで特定されたフォーカス位置は、最適な記録用位置としてＥＥＰＲＯＭ２２に記憶される。
【００５９】
以下に、上述した再生用位置及び記録用位置の特定処理を行なう本実施形態の光ディスク装置１において、工場からの出荷前に行なう再生用基準位置及び記録用基準位置をＥＥＰＲＯＭ２２に設定する処理について説明する。図４は本実施形態に係る光ディスク装置１における再生用基準位置及び記録用基準位置の設定処理の手順を示すフローチャートである。なお、以下の処理は、制御部１０に内蔵されたＲＯＭに予め格納されている制御プログラムに従って制御部１０によって実行される。
【００６０】
光ディスク装置１において、制御部１０は、再生用基準位置及び記録用基準位置を特定するために用いる所定の光ディスク１ａが所定の載置トレイに載置されたか否かを判断し（Ｓ２１）、載置されていないと判断した場合（Ｓ２１：ＮＯ）、待機する。制御部１０は、載置トレイに光ディスク１ａが載置されたと判断した場合（Ｓ２１：ＹＥＳ）、載置された光ディスク１ａに対してロード処理を実行する（Ｓ２２）。なお、光ディスク１ａには、光ディスク１ａに対するデータの記録再生処理の際に必要な各種の情報が予め製造メーカによって記録されており、制御部１０は、ステップＳ２２のロード処理によって、これらの情報を取得する。
【００６１】
次に制御部１０は、図２を用いて説明したような再生用位置特定処理を実行し（Ｓ２３）、フォーカス位置特定部２１によって特定したフォーカス位置を再生用基準位置としてＥＥＰＲＯＭ２２に記憶させる（Ｓ２４）。また、制御部１０は、図３を用いて説明したような記録用位置特定処理を実行し（Ｓ２５）、フォーカス位置特定部２１によって特定したフォーカス位置を記録用基準位置としてＥＥＰＲＯＭ２２に記憶させる（Ｓ２６）。これにより、実際にデータの記録再生処理を行なうために光ディスク１ａが載置トレイ上に載置され、載置された光ディスク１ａに対する記録用位置を特定する場合に、ＥＥＰＲＯＭ２２の記録用基準位置及び再生用基準位置を用いることができる。従って、記録用位置を特定するための煩雑な処理を行なうことなく、この処理にかかる処理時間を短縮することができる。また、記録用位置を特定するために光ディスク１ａに記録する必要があったデータの記録領域、具体的には、ＰＣＡ領域を節約することもできる。
【００６２】
以下に、上述したようにＥＥＰＲＯＭ２２に再生用基準位置及び記録用基準位置が記憶された本実施形態の光ディスク装置１において、ユーザの手元に届いた後の光ディスク１ａへの実際のデータの記録再生処理について説明する。図５は本実施形態に係る光ディスク装置１における記録再生処理の手順を示すフローチャートである。なお、以下の処理は、制御部１０に内蔵されたＲＯＭに予め格納されている制御プログラムに従って制御部１０によって実行される。
【００６３】
光ディスク装置１において、制御部１０は、実際にデータの記録再生処理を行なう光ディスク１ａが所定の載置トレイに載置されたか否かを判断し（Ｓ３１）、載置されていないと判断した場合（Ｓ３１：ＮＯ）、待機する。制御部１０は、載置トレイに光ディスク１ａが載置されたと判断した場合（Ｓ３１：ＹＥＳ）、載置された光ディスク１ａに対してロード処理を実行する（Ｓ３２）。
【００６４】
次に制御部１０は、図２を用いて説明したような再生用位置特定処理を実行し（Ｓ３３）、フォーカス位置特定部２１によって特定したフォーカス位置を、載置トレイに載置された光ディスク１ａに対する最適な再生用位置としてＥＥＰＲＯＭ２２に記憶させる（Ｓ３４）。また制御部１０は、フォーカス位置特定部２１によって、ＥＥＰＲＯＭ２２に記憶してある記録用基準位置と再生用基準位置との差分を算出し、算出した差分を、ステップＳ３４でＥＥＰＲＯＭ２２に記憶させた再生用位置に加算し、載置トレイに載置された光ディスク１ａに対する最適な記録用位置を算出してＥＥＰＲＯＭ２２に記憶させる（Ｓ３５）。
【００６５】
制御部１０は、ステップＳ３４でＥＥＰＲＯＭ２２に記憶された記録用位置に、アクチュエータ１３によって対物レンズ１６を移動させ、ＯＰＣ処理部１９によってＯＰＣ処理を実行する（Ｓ３６）。具体的には、制御部１０は、モータ駆動部１１及びレーザパワー制御部１４を適切に制御することにより、最適な記録用位置に移動された対物レンズ１６を介して収束されたレーザ光によって光ディスク１ａ上のＰＣＡ領域にＯＰＣ処理を行なうためのデータを記録する。また、制御部１０は、光ディスク１ａ上のＰＣＡ領域に記録されたデータを再生部１７及びＲＦ信号生成部１８によって再生し、得られたＲＦ信号に基づくＯＰＣ処理をＯＰＣ処理部１９によって実行する。
【００６６】
制御部１０は、ＯＰＣ処理部１９によるＯＰＣ処理に基づいて、光ディスク１ａへのデータの記録処理時における最適な記録用パワーをレーザパワー特定部２０によって特定し、特定した最適な記録用パワーを、自身のＲＡＭに記憶する（Ｓ３７）。従って、光ディスク装置１は、ＥＥＰＲＯＭ２２に記憶された最適な記録用位置及び再生用位置、ステップＳ３７で制御部１０のＲＡＭに記憶した最適な記録用パワーに基づいて、光ディスク１ａに対する以降の記録再生処理を行なう。
【００６７】
これにより、光ディスク１ａに対する記録処理時の最適なフォーカス位置と、再生処理時の最適なフォーカス位置とが異なる光ディスク装置１においても、記録処理時及び再生処理時のそれぞれに最適なフォーカス位置を特定することができる。従って、このように特定された記録用位置の対物レンズ１６によって光ディスク１ａに対する記録処理を行なうことにより、光ディスク１ａ上に記録されたデータの信頼性を向上させることができる。また、最適な記録用位置に移動された対物レンズ１６を用いて光ディスク１ａ上にデータを記録し、このデータを再生して得られたＲＦ信号に基づいてＯＰＣ処理を行なうことにより、より最適なレーザ光の記録用パワーを特定することができる。従って、より精度の高いＯＰＣ処理を可能とすると共に、このＯＰＣ処理によって特定された最適な記録用パワーによって光ディスク１ａ上に記録されたデータの信頼性をより向上させることができる。
【００６８】
上述した実施形態の光ディスク装置１は、工場からの出荷前において、フォーカス位置特定部２１による記録用基準位置及び再生用基準位置の特定処理を行なう構成を有している。しかし、ユーザの手元に届いてからも、必要に応じて記録用基準位置及び再生用基準位置の特定処理を行なうように光ディスク装置１を構成してもよい。
【００６９】
また、上述した実施形態では、１組の記録用基準位置及び再生用基準位置をＥＥＰＲＯＭ２２に記憶させて出荷される光ディスク装置１について説明した。しかし、工場の出荷前に、例えば、複数の温度条件下において記録用基準位置及び再生用基準位置の特定処理を行ない、各温度条件毎に複数組の記録用基準位置及び再生用基準位置をテーブルとしてＥＥＰＲＯＭ２２に記憶させておく構成としてもよい。この場合、光ディスク装置１に温度センサを備えておき、ユーザの手元において光ディスク１ａに対する記録再生処理を行なう際に周辺温度を温度センサによって計測し、計測した周辺温度に応じた記録用基準位置及び再生用基準位置を用いて、実際にデータの記録再生処理を行なう光ディスク１ａに対する記録用位置及び再生用位置を特定すればよい。
【００７０】
また、各温度条件毎に複数組の記録用基準位置及び再生用基準位置をテーブルとして用意しておく必要はなく、例えば、基準の温度条件における記録用基準位置及び再生用基準位置のみをＥＥＰＲＯＭ２２に記憶させておき、ユーザの手元において光ディスク１ａに対する記録再生処理を行なう際に計測した周辺温度に応じた重み係数を、ＥＥＰＲＯＭ２２に記憶してある記録用基準位置及び再生用基準位置の差分に対して乗算し、算出した値を用いて、実際にデータの記録再生処理を行なう光ディスク１ａに対する記録用位置及び再生用位置を特定するようにしてもよい。
【図面の簡単な説明】
【００７１】
【図１】本発明に係るディスク記録再生装置としての光ディスク装置の要部構成例を示すブロック図である。
【図２】本実施形態に係る光ディスク装置における再生用位置特定処理の手順を示すフローチャートである。
【図３】本実施形態に係る光ディスク装置における記録用位置特定処理の手順を示すフローチャートである。
【図４】本実施形態に係る光ディスク装置における再生用基準位置及び記録用基準位置の設定処理の手順を示すフローチャートである。
【図５】本実施形態に係る光ディスク装置における記録再生処理の手順を示すフローチャートである。
【符号の説明】
【００７２】
１  光ディスク装置（ディスク記録再生装置）
１ａ  光ディスク（記録媒体）
１０  制御部
１５  レーザ出力部（記録手段）
１６  対物レンズ
１７  再生部（再生手段）
２１  フォーカス位置特定部（再生用位置特定手段、記録用位置特定手段）
２２  ＥＥＰＲＯＭ（記憶手段）
【図１】
2008059698.tif 000003
【図２】
2008059698.tif 000004
【図３】
2008059698.tif 000005
【図４】
2008059698.tif 000006
【図５】
2008059698.tif 000007